(57)【要約】【課題】感熱素子の変位の状態を確認することができるスプリンクラヘッドを提供する。【解決手段】放水口２ａを有するヘッド本体２と、該ヘッド本体２の放水口２ａを閉鎖する弁体３と、該弁体３を支持する支持機構部４とを備え、該支持機構部４が、感熱素子６と、該感熱素子６の変位に伴って移動する移動部材９とを有するものであるスプリンクラヘッド１−１において、該移動部材９の移動量に基いて、該感熱素子６の変位量を検出する変位量検出手段Ｄ−１が設けられていることを特徴とする。【選択図】図１
2014000129.tif 000002
【特許請求の範囲】
【請求項１】
放水口を有するヘッド本体と、該ヘッド本体の放水口を閉鎖する弁体と、該弁体を支持する支持機構部とを備え、該支持機構部が、感熱素子と、該感熱素子の変位に伴って移動する移動部材とを有するものであるスプリンクラヘッドにおいて、
該移動部材の移動量に基いて、該感熱素子の変位量を検出する変位量検出手段が設けられていることを特徴とするスプリンクラヘッド。
【請求項２】
該変位量検出手段は、該移動部材の移動によって動作し、その動作に基く信号を出力する少なくとも１つのスイッチを有するものであることを特徴とする請求項１に記載のスプリンクラヘッド。
【請求項３】
該変位量検出手段は、該移動部材が挿通される検出コイルを有するものであり、該検出コイルは、該移動部材の移動によって生じる電気的な変化に基く信号を出力するものであることを特徴とする請求項１に記載のスプリンクラヘッド。
【請求項４】
該変位量検出手段は、該移動部材の内部に設けられるものであり、該移動部材の移動に伴って外部に進出可能なコアと、該コアが挿通される検出コイルとを有するものであり、該検出コイルは、該移動部材の移動に伴う該コアの移動によって生じる電気的な変化に基く信号を出力するものであることを特徴とする請求項１に記載のスプリンクラヘッド。
【請求項５】
該支持機構部が、該感熱素子の収容部を円柱状に画定するシリンダと、該感熱素子を押圧するロッドとを有するものであり、該ロッドが、該移動部材であることを特徴とする請求項２に記載のスプリンクラヘッド。
【請求項６】
該支持機構部が、該感熱素子の収容部を環状に画定するフランジが設けられたプランジャと、該プランジャに螺合により固定されるセットスクリューとを有するものであり、該セットスクリューが、該移動部材であることを特徴とする請求項３又は４に記載のスプリンクラヘッド。
【発明の詳細な説明】
【技術分野】
【０００１】
この発明は、消火用のスプリンクラヘッドに関する。
【背景技術】
【０００２】
従来、スプリンクラヘッドの点検は、設置されている状態でヘッドを目視し、異常の有無をヘッドの外観から確認することにより行われていた。
【０００３】
従って、従来のスプリンクラヘッドの点検によっては、ヘッドの外観から判別できる異常の有無しか確認することができなかった。
【０００４】
尚、特開平１１−７６４５１号公報（特許文献１）は、ヘッドの開放動作を自動的に検知して、その動作信号を出力する動作検知機構を開示しているが、同文献が開示の検知機構は、火災時におけるスプリンクラヘッドの開放動作を検知するものであり、平常時に或いは点検時にスプリンクラヘッドの異常の有無を検知するものではない。
【先行技術文献】
【特許文献】
【０００５】
【特許文献１】特開平１１−７６４５１号公報
【発明の概要】
【発明が解決しようとする課題】
【０００６】
ところで、スプリンクラヘッドにおいて、弁体の支持機構部に半田等の感熱素子を備えているタイプのものの場合、感熱素子には弁体の支持機構部による圧縮荷重が常時作用するので、例えばスプリンクラヘッドの周囲温度が急激に上昇すると、感熱素子がクリープにより変形して変位してしまうことがあり（支持機構部への外力により変位してしまう場合もある）、それが進行して水漏れ等の異常に至ってしまうことがある。
【０００７】
しかしながら、このタイプのスプリンクラヘッドの場合、感熱素子は外からは見ることができない状態で設けられており、その状態を外観からは確認することができない。
【０００８】
つまり、このタイプのスプリンクラヘッドにおいて、感熱素子の変位は水漏れ等の異常を生じさせてしまうことのあるものであるが、従来のスプリンクラヘッドの点検によっては、その変位の状態を確認することができなかった。
【０００９】
そして、特許文献１に開示されている動作検知機構は、火災時におけるスプリンクラヘッドの開放動作を検知するものであり、平常時に或いは点検時に感熱素子の変位の状態を確認することができるものではない。
【００１０】
この発明は、前記の事情に鑑み、感熱素子の変位の状態を確認することができるスプリンクラヘッドを提供することを目的とする。
【課題を解決するための手段】
【００１１】
この発明は、放水口を有するヘッド本体と、該ヘッド本体の放水口を閉鎖する弁体と、該弁体を支持する支持機構部とを備え、該支持機構部が、感熱素子と、該感熱素子の変位に伴って移動する移動部材とを有するものであるスプリンクラヘッドにおいて、該移動部材の移動量に基いて、該感熱素子の変位量を検出する変位量検出手段が設けられていることを特徴とするスプリンクラヘッドである。
【００１２】
又、この発明は、該変位量検出手段は、該移動部材の移動によって動作し、その動作に基く信号を出力する少なくとも１つのスイッチを有するものであることを特徴とするスプリンクラヘッドである。
【００１３】
又、この発明は、該変位量検出手段は、該移動部材が挿通される検出コイルを有するものであり、該検出コイルは、該移動部材の移動によって生じる電気的な変化に基く信号を出力するものであることを特徴とするスプリンクラヘッドである。
【００１４】
又、この発明は、該変位量検出手段は、該移動部材の内部に設けられるものであり、該移動部材の移動に伴って外部に進出可能なコアと、該コアが挿通される検出コイルとを有するものであり、該検出コイルは、該移動部材の移動に伴う該コアの移動によって生じる電気的な変化に基く信号を出力するものであることを特徴とするスプリンクラヘッドである。
【００１５】
又、この発明は、該支持機構部が、該感熱素子の収容部を円柱状に画定するシリンダと、該感熱素子を押圧するロッドとを有するものであり、該ロッドが、該移動部材であることを特徴とするスプリンクラヘッドである。
【００１６】
又、この発明は、該支持機構部が、該感熱素子の収容部を環状に画定するフランジが設けられたプランジャと、該プランジャに螺合により固定されるセットスクリューとを有するものであり、該セットスクリューが、該移動部材であることを特徴とするスプリンクラヘッドである。
【発明の効果】
【００１７】
この発明においては、感熱素子の変位に伴って移動する移動部材の移動量に基いて、感熱素子の変位量を検出する変位量検出手段が設けられているので、その変位量検出手段によって感熱素子の変位量を検出することができる。
【００１８】
従って、この発明によれば、感熱素子の変位の状態を確認することができるので、例えば破壊することなくスプリンクラヘッドの交換時期を判断可能なスプリンクラヘッドを得ることができる。
【図面の簡単な説明】
【００１９】
【図１】この発明の第１の実施形態のスプリンクラヘッドの縦断面図である（要部の拡大図を含む）。
【図２】この発明の第２の実施形態のスプリンクラヘッドの縦断面図である。
【図３】この発明の第３の実施形態のスプリンクラヘッドの縦断面図であり、感熱素子が変位していない状態を示したものである。
【図４】同上の縦断面図であり、感熱素子が変位した状態を示したものである。
【図５】外部から変位量検出手段を用いて感熱素子の変位量を検出する際の状態を示したスプリンクラヘッドと変位量検出段の縦断面図であり、感熱素子が変位していない状態を示したものである。
【図６】同上の縦断面図であり、感熱素子が変位した状態を示したものである。
【発明を実施するための形態】
【００２０】
この発明の実施形態について、図面を参照しつつ説明する。
【００２１】
[第１の実施形態]
先ず、図１に基き、この発明の第１の実施形態について説明する。
【００２２】
尚、第１の実施形態は、この発明をアーム支持式の弁体支持機構を備えたスプリンクラヘッドに適用する場合を例示するものであって、感熱素子の変位量検出手段としてスイッチを利用する場合を例示するものである。
【００２３】
スプリンクラヘッド１−１は、ヘッド本体２と、ヘッド本体２の放水口２ａを閉鎖する弁体３と、弁体３を下方から支持する支持機構部４とからなる。
【００２４】
アーム支持式の支持機構部４は、一対のアーム５，５を有するリンク機構によって構成され、火災時に集熱板１０を介して伝導される熱によって溶融変位してリンク機構を分解させる半田等の感熱素子６を下部に備えており、常時は組立状態に保たれて弁体３を閉鎖状態に維持する一方で、火災時は分解して弁体３を開放状態にするものとなっている。
【００２５】
具体的には、支持機構部４は、感熱素子６が収容される収容部６ａを内部に有し、その収容部６ａを円柱状に画定する有底筒状のシリンダ７と、シリンダ７の上方に位置すると共に、上下方向（ヘッドの高さ方向或いは軸方向）に延在して、感熱素子６をピストン８を介して下方に押圧するロッド９とを備えており、アーム５，５の下部にシリンダ支持部材７ａを介してシリンダ７が係止されると共に、アーム５，５の上部にロッド支持部材９ｄを介してロッド９が係止されていて、常時は、アーム５，５が、鉤状部５ｂ，５ｂにより、ヘッド本体２の下部に螺合により固定されたフレーム１２の支持フランジ１２ａに上方から掛止されて、当接部５ａ，５ａによりバランサ１１を介して弁体３を下方から押圧して弁体３を閉鎖状態に維持するものとなっており、火災時は、感熱素子６の下方への溶融変位に伴って、ロッド９が下方に移動することにより、アーム５，５が揺動して、鉤状部５ａ，５ａによる支持フランジ１２ａとの掛止状態が解かれ、バランサ１１と共にアーム５，５以下の構成部分が下方へと落下し、弁体３を下方に移動させて開放状態にするものとなっている。
【００２６】
そして、スプリンクラヘッド１−１は、感熱素子６の変位に伴って下方（弁体３の開放方向）に移動する移動部材であるロッド９の移動量に基いて、感熱素子６の変位量を検出する変位量検出手段Ｄ−１を備えており、それにより、平常時や点検時において、感熱素子６の変位の状態を確認することができるものとなっており、外からは見えない状態で設けられている感熱素子６の変位の状態を非破壊的に確認することができるものとなっている。
【００２７】
本実施形態において、変位量検出手段Ｄ−１は、具体的には、ロッド９の胴部の周囲近接位置にロッド９とは分離された状態で位置が固定されてそれぞれ設けられ（図示は省略するが、例えば、シリンダ７に支持部材を介して固定されたものとすることができる。）、押圧されることによりオン動作し、その動作に基く信号の出力手段を有する複数のタクトスイッチ１３ａ〜１３ｃと、正常に組み立てられている状態で、各タクトスイッチ１３ａ〜１３ｃから所定の異なる長さＬ１〜Ｌ３で上下方向に沿って離間して位置するようにロッド９の胴部の外周面にそれぞれ設けられ、感熱素子６の変位に伴ってロッド９が下方へＬ１〜Ｌ３の長さで移動することによって、各タクトスイッチ１３ａ〜１３ｃと接触し、各タクトスイッチ１３ａ〜１３ｃをそれぞれ押圧する複数の押圧突起９ａ〜９ｃとからなる。
【００２８】
この変位量検出手段Ｄ−１によれば、感熱素子６の変位に伴うロッド９の下方への移動量が長さＬ１〜Ｌ３に至った場合、タクトスイッチ１３ａ〜１３ｃが押圧突起９ａ〜９ｃにより押圧されてオン動作し、それに基く信号が検出信号としてタクトスイッチ１３ａ〜１３ｃから出力され、その検出信号により感熱素子６の変位量を検出することができることになるが、本実施形態において、変位量検出手段Ｄ−１は、各タクトスイッチ１３ａ〜１３ｃと各押圧突起９ａ〜９ｃとが異なる長さＬ１〜Ｌ３（例えば、Ｌ１が０．２ｍｍ、Ｌ２が０．４ｍｍ、Ｌ３が．６ｍｍとすることができる。）で離間して配置されるものとなっており、感熱素子６の変位量の程度に応じて、タクトスイッチ１３ａ〜１３ｃから段階的に検出信号が出力され、感熱素子６の変位量を段階的に検出することができるようになっている。
【００２９】
変位量検出手段Ｄ−１の信号の出力手段としては、図示は省略するが、各タクトスイッチ１３ａ〜１３ｃに設けた記憶部とすることができ、その記憶部を検出信号の無線送信手段を有するものとして、検出信号の無線受信手段を有する点検用の外部装置を近付けて外部から無線により検出信号が受信されるものとすることができるし、また検出信号の無線受信手段を有する外部装置を常設し、その外部装置を介して防災センター等により常時検出信号が受信されるものとすることができる。
【００３０】
変位量検出手段Ｄ−１の電源については、電池としてもよいし、又、羽根車の回転による発電ユニットをスプリンクラ配管中に設け、配管内の水流により羽根車を回転させて発電し、それを蓄電したものを電源としてもよい。
【００３１】
尚、変位量検出手段Ｄ−１において、タクトスイッチ１３ａ〜１３ｃ及び押圧突起９ａ〜９ｃの配置構造は適宜変更することができ、例えば、タクトスイッチ１３ａ〜１３ｃを周方向に同じ高さの位置に設けられるものとしてもよいし（押圧突起９ａ〜９ｃは図１の位置のまま）、更に、タクトスイッチ１３ａ〜１３ｃを移動側（ロッド９側）として、押圧突起９ａ〜９ｃを固定側（例えばシリンダ７側）としてもよい。
【００３２】
又、変位量検出手段Ｄ−１において、タクトスイッチ１３ａ〜１３ｃ及び押圧突起９ａ〜９ｃの数は適宜変更することができ、例えば、タクトスイッチを１つとして、押圧突起９ａ〜９ｃによって複数回押圧されるものとしてもよいし、又、タクトスイッチ及び押圧突起を１つずつとしててもよい（この場合、感熱素子６の変位量の段階的な検出はできなくなるが、変位量が所定量に至っているか否かの確認はすることができる。）。
【００３３】
[第２の実施形態]
次に、図２に基づき、この発明の第２の実施形態について説明する。
【００３４】
尚、第２の実施形態は、この発明を第１の実施形態と同様にアーム支持式の弁体支持機構を備えたスプリンクラヘッドに適用する場合を例示するものであるが、感熱素子の変位量検出手段として、第１の実施形態におけるようなスイッチに代えて、筒状に導線を巻回してなる検出コイルを利用する場合を例示するものである。
【００３５】
即ち、スプリンクラヘッド１−２は、第１の実施形態のスイッチを用いた変位量検出手段Ｄ−１に代えて、筒状に導線を巻回してなる検出コイル１４を有する変位量検出手段Ｄ−２を備えている。
【００３６】
本実施形態において、変位量検出手段Ｄ−２は、具体的には、導線が筒状に巻回されてなり、上下方向に延在すると共に、内部をロッド９の胴部が上下に貫通するように挿通された状態でコイル支持体１４ａによって支持されて設けられ（本実施形態においては、シリンダ７に固定されて設けられている。）、信号の出力手段を有する検出コイル１４と、ロッド９の胴部の外周面に周方向に延在する複数の強磁性を有する線状の部分として設けられると共に、それら複数の線状の部分が上下方向に所定の間隔で配置されて設けられた磁性ライン部１５とからなる。
【００３７】
本実施形態の変位量検出手段Ｄ−２によれば、感熱素子６の変位に伴ってロッド９が下方に移動した場合、渦電流が流れる検出コイル１４内をロッド９の複数の磁性ライン部１５が移動することとなり、ロッド９の移動に基き、その移動量に応じて検出コイル１４におけるインダクタンスが段階的に変化し、その変化が検出信号として出力されることとなる。
【００３８】
つまり、この変位量検出手段Ｄ−２によっても、第１の実施形態の複数のスイッチからなる変位量検出手段Ｄ−１と同様、感熱素子６の変位量を検出することが可能というだけでなく、それを段階的に検出することが可能である。
【００３９】
尚、変位量検出手段Ｄ−２において、磁性ライン部１５については、上下方向に連続する強磁性の部分からなるものとしてもよいし、部分的に設けるのに代えて、ロッド９全体を強磁性の材料からなるものとしてもよく、そのようにすれば、ロッド９の移動量に応じ、検出コイル１４のインダクタンスを直線的に変化させることが可能となり、感熱素子６の変位量をリニアに検出することが可能となる。
【００４０】
又、変位量検出手段Ｄ−２の信号の出力手段や電源については、第１の実施形態の変位量検出手段Ｄ−１のものと同様のものとすることができる。
【００４１】
[第３の実施形態]
次に、図３及び図４に基づき、この発明の第３の実施形態について説明する。
【００４２】
尚、第３の実施形態は、第１及び第２の実施形態におけるアーム支持式の弁体支持機構を備えたスプリンクラヘッドに代えて、この発明をボール支持式の弁体支持機構を備えたスプリンクラヘッドに適用する場合を例示するものであるが、感熱素子の変位量検出手段としては、第２の実施形態と同様、検出コイルを利用する場合を例示するものである。
【００４３】
即ち、スプリンクラヘッド１−３は、ヘッド本体１６の放水口１６ａを閉鎖する弁体１７を下方から支持する支持機構部として、ボール支持式の支持機構部１８を備えており、感熱素子２０の変位量を検出する変位量検出手段として、検出コイル２９を有する変位量検出手段Ｄ−３を備えている。
【００４４】
スプリンクラヘッド１−３において、ボール支持式の支持機構部１８は、環状に配置された複数のボール１９ａ，１９ｂ，．．．を含むリンク機構によって構成され、アーム支持式のものと同様、火災時の熱によって溶融変位してリンク機構を分解させる半田等の感熱素子２０を下部に備えており、常時は組立状態が保たれて弁体１７を閉鎖状態に維持する一方で、火災時は分解して弁体１７を開放状態にするものとなっている。
【００４５】
支持機構部１８は、具体的には、環状に配置された複数のボール１９ａ，１９ｂ，．．．を上方から支持するスライダ２１と、それらボール１９ａ，１９ｂ，．．．を下方から支持するバランサ２２と、スライダ２１と弁体１７との間に位置し、上下方向の弾発力を有する皿バネ２３と、上下方向に延在して、集熱板２４を中央凹部２４ａに形成された開口部分で上下方向に貫通すると共に、バランサ２２も中央に形成された開口部分で貫通して設けられ、上下が開口した筒状をなすプランジャ２５であって、集熱板２４の中央凹部２４ａと共に感熱素子２０を収容する収容部２０ａを環状に画定するフランジ２５ａを下部に有するプランジャ２５と、プランジャ２５の上部に螺合により固定され、上下方向に延在して、スライダ２１を中央に形成された開口部分で貫通して設けられると共に、上端部が弁体１７に下方から当接するように設けられたセットスクリュー２６とを備えていてる。尚、バランサ２２は、断熱材２８等を介して感熱素子２０を下方に押圧しており、アーム式の支持機構におけるピストンと同様の機能も有するものである。
【００４６】
この支持機構部１８は、常時は、ヘッド本体２の下部に螺合により固定されたフレーム２７の支持フランジ２７ａによっても、ボール１９ａ，１９ｂ，．．．が下方から支持されるようになっており、ボール１９ａ，１９ｂ，．．．の位置が固定されて、ボール１９ａ，１９ｂ，．．．がロック手段として機能して、組立状態が保たれて、弁体１７を閉鎖状態に維持するものとなっており、一方、火災時は、感熱素子２０の溶融変位により集熱板２４が下方に移動し、それに伴いバランサ２２も下方に移動することにより、ボール１９ａ，１９ｂ，．．．によるロック状態が解かれて、スライダ２１も下方に移動し、それによりプランジャ２５がセットスクリュー２６と共に下方に移動し、皿バネ２３以下の構成部分が下方に落下して、弁体１７を下方に移動させて開放状態にするものとなっている。
【００４７】
そして、本実施形態において、変位量検出手段Ｄ−３は、感熱素子２０の変位に伴って下方（弁体１７の開放方向）に移動する部材であるセットスクリュー２６の移動量に基いて、感熱素子２０の変位量を検出するものとなっている。
【００４８】
具体的には、変位量検出手段Ｄ−３は、セットスクリュー２６の内部に設けられており、導線を筒状に巻回してなり、セットスクリュー２６内に上下方向に延在するように埋設され、信号の出力手段を有する検出コイル２９と、検出コイル２９内に上下方向に延在するように挿通されて設けられると共に、検出コイル２９内を上下方向に移動可能で、且つセットスクリュー２６の上端部２６ａから外部に進出可能に設けられ、強磁性を有する材料により検出コイル２９と略同一の長さに形成されたコア３０と、コア３０の下部に設けられ、コア３０をセットスクリュー２６の上端部２６ａから外部に進出させる方向に付勢する付勢部材３１（コイルスプリング等）とを備えている。
【００４９】
この変位量検出手段Ｄ−３において、感熱素子２０に変位がない場合は、図３に示したように、コア３０の上端３０ａはセットスクリュー２６の上端部２６ａと共に弁体１７の下面に当接した状態が保たれて、検出コイル２９とコア３０とが共に動かないようになっており、渦電流が流れる検出コイル２９のインダクタンスは変化しないようになっていて、出力される信号は変化しないようになっているが、感熱素子２０に変位がある場合は、図４に示したように、その変位に伴うセットスクリュー２６の下方への移動により、検出コイル２９が下方に移動する一方で、コア３０は弁体１７の下面に当接した状態が保たれるようになっており、セットスクリュー２６の移動量に応じて、検出コイル２９がコア３０に対して移動し、渦電流が流れる検出コイル２９のインダクタンスが直線的に変化するようになっており、その変化が検出信号として出力されるようになっている。
【００５０】
つまり、ボール支持式の支持機構１８を備えたスプリンクラヘッド１−３においても、感熱素子２０の変位量検出手段Ｄ−３を備えていることにより、感熱素子２０の変位量を検出することが可能である。
【００５１】
尚、この変位量検出手段Ｄ−３の信号の出力手段や電源についても、第１の実施形態の変位量検出手段Ｄ−１のものと同様のものとすることができる。
【００５２】
[参考例]
最後に、図５及び図６に基づき、参考例について説明する。
【００５３】
尚、ここで説明する参考例は、感熱素子を含む弁体支持機構を備えたスプリンクラヘッドについて、ヘッド内部の変位量検出手段により感熱素子の変位量を検出するのにに代えて、ヘッド外部の変位量検出手段により感熱素子の変位量を検出する場合を例示するものである。
【００５４】
スプリンクラヘッド１−４は、ボール支持式の弁体支持機構１８を備えたもので、セットスクリュー２６が内部に感熱素子の変位量検出手段を備えていないものとなっている点を除き、第３の実施形態のスプリンクラヘッド１−３と同様の構成のものである。
【００５５】
即ち、スプリンクラヘッド１−４は、集熱板２４を中央凹部２４ａに形成された開口部分で上下方向に貫通し、集熱板２４の中央凹部２４ａと共に感熱素子２０を収容する収容部２０ａを環状に画定するフランジ２５ａを下部に有するプランジャ２５をボール支持機構部１８の下部に備えている。
【００５６】
このようなプランジャ２５を支持機構部１８を備えたスプリンクラヘッド１−４においては、支持機構部１８の正常な組立状態が保たれているときに、プランジャ２５の下面がヘッドの最下面をなすようになっているが、感熱素子２０の変位に伴って集熱板２４が下方に移動するようにもなっていることから、感熱素子２０の変位に伴って集熱板２４が下方に移動すれば、その移動量に応じて集熱板２４の下面とプランジャ２５の下面との位置関係が変化するようになっている。
【００５７】
つまり、前記のようなプランジャ２５を支持機構部１８を備えたスプリンクラヘッド１−４の場合、集熱板２４の下面とプランジャ２４の下面との位置関係の変化量を外部から検出することにより、感熱素子２０の変位量の検出が可能である。
【００５８】
集熱板２４の下面とプランジャ２５の下面との位置関係の変化量の外部からの検出は、例えば、第３の実施形態における変位量検出手段Ｄ−３と同タイプのものを外部装置化した変位量検出手段Ｄ−４によって行うことができる。
【００５９】
外部装置である変位量検出手段Ｄ−４は、具体的には、検出手段本体３２内に、導線を軸方向に延在するように筒状に巻回してなり、信号の出力手段を有する検出コイル３３と、検出コイル３３内に軸方向に延在するように挿通されて設けられると共に、検出コイル３３内を上下方向に移動可能で、且つ検出手段本体３２の上端部３２ａから内外に出没可能に設けられ、強磁性を有する材料により形成されたコア３４と、コア３４の下部に設けられ、コア３４を検出手段本体３２の上端部３２ａから外部に押し出す方向に付勢する付勢部材３５（コイルスプリング等）とが埋設されてなる。
【００６０】
図５は、感熱素子２０に変位がなく、支持機構１８の正常な組立状態が保たれているときに、変位量検出手段Ｄ−４を集熱板２４の下面とプランジャ２５の下面に押し付けた状態を示したものである。
【００６１】
このとき、集熱板２４の下面よりプランジャ２５の下面が所定の距離で突出している状態にあり、その距離分、コア３４の上面が検出手段本体３２の上面から押し下げられた状態にあるが、予め、この状態における検出コイル３３とコア３４の位置関係から生じる検出コイル３３のインダクタンスから得られる値を基準値として記憶手段に記憶しておくことで、点検時、検出コイル３３のインダクタンスをその基準値と比較することにより、その変化量から感熱素子２０の変位量を検出することが可能となる。
【００６２】
即ち、感熱素子２０に変位があれば、図６に示したように、集熱板２４が下方に移動により、集熱板２４の下面からのプランジャの２４の下面の突出量が減って、コア３４が相対的に上昇することとなるので、検出コイル３３とコア３４の位置関係が変化し、検出コイル３３のインダクタンスが基準値から変化することとなり、その変化量から感熱素子２０の変位量を検出することが可能である。
【００６３】
つまり、プランジャ２５を支持機構部１８に備えたスプリンクラヘッド１−４においては、外部装置である変位量検出手段Ｄ−４により、外部から感熱素子２０の変位量の検出が可能である。
【００６４】
尚、この参考例において、支持機構部１８は、正常な組立状態が保たれているときに、プランジャ２５の下面が最下面をなすものとしているが、勿論、集熱板２４の下面が最下面をなすものとしてもよいし、両者の下面が共に最下面をなすものとしてもよい。
【００６５】
以上この発明の実施形態及び参考例を説明したが、第２、第３の実施形態及び参考例では、検出コイルによる変位量検出手段を用いたが、例えば、第１の実施形態のタクトスイッチ１３ａ、１３ｂ、１３ｃと押圧突起９ａ、９ｂ、９に代えて、例えば、バランサ１１に発光素子と受光素子からなる光学式距離センサを設け、ロッド支持部材９ｄとの変位量を検出するようしてもよく、又、変位量検出手段については、超音波式、静電容量式、電磁波式といった各種距離センサに置き換えることが可能となっている。更に、変位量検出手段は、感熱素子の変位量を検出できるものであればよく、例えば、第１の実施形態のフレーム１２と集熱板１０の上端、或いは第２、第３の実施形態のフレーム１２、２７の下端と集熱板２４の上端からなる隙間の変位量を検出するなど、感熱素子の変位に応じて変動するスプリンクラヘッドの部品間の変位量を検出するようにしてもよい。
【符号の説明】
【００６６】
１−１：スプリンクラヘッド  Ｄ−１：変位量検出手段  ２：ヘッド本体
２ａ：放水口  ３：弁体  ４：支持機構部  ５：アーム  ５ａ：当接部
５ｂ：鉤状部  ６：感熱素子  ６ａ：収容部  ７：シリンダ
７ａ：シリンダ支持部材  ８：ピストン  ９：ロッド  ９ａ〜９ｃ：押圧部
９ｄ：ロッド支持部材  １０：集熱板  １１：バランサ  １２：フレーム
１２ａ：支持フランジ  １３ａ〜１３ｃ：タクトスイッチ
１−２：スプリンクラヘッド  Ｄ−２：変位量検出手段  １４：検出コイル
１５：磁性ライン部  １−３：スプリンクラヘッド  Ｄ−３：変位量検出手段
１６：ヘッド本体  １６：放水口  １８：支持機構部
１９ａ，１９ｂ，．．．：ボール  ２０：感熱素子  ２０ａ：収容部
２１：スライダ  ２２：バランサ  ２３：皿バネ  ２４：集熱板
２４ａ：中央凹部  ２５：プランジャ  ２５ａ：フランジ
２６：セットスクリュー  ２６ａ：上端面  ２７：フレーム
２７ａ：支持フランジ  ２８：断熱材  ２９：検出コイル  ３０：コア
３０ａ：上端  ３１：付勢部材  １−４：スプリンクラヘッド
Ｄ−４：変位量検出手段  ３２：検出手段本体  ３２ａ：上端部
３３：検出コイル  ３４：コア  ３５：付勢部材
【図１】
2014000129.tif 000003
【図２】
2014000129.tif 000004
【図３】
2014000129.tif 000005
【図４】
2014000129.tif 000006
【図５】
2014000129.tif 000007
【図６】
2014000129.tif 000008